(57)【要約】 【課題】  レンズカバー検出用の検出器を設けなくとも、レンズカバーの着脱に応じた電力制御を可能とすることで、製造コストの抑制を図る。【解決手段】  投影装置は、第一光学系（光学系４４）から発せられた光を表示素子３０まで案内する第二光学系（光源側光学系５０）と、第二光学系がなす光路上に配置され、当該光路を通過する光の照度を検出する照度検出部７０と、投影光学系を保護するための着脱自在なレンズカバー８０と、照度検出部７０の検出結果が第一所定値よりも大きくなったら、レンズカバー８０が装着されていると判断し、前記検出結果が第一所定値以下である場合よりも各光源の出力を低減させる制御部（ＣＰＵ１０）とを備えている。【選択図】図１
2015049408.tif 000002
【特許請求の範囲】
【請求項１】
画像信号が入力される入力手段と、
前記入力手段に入力された画像信号に基づいて画像を生成する表示素子と、
発光波長が異なる複数の光源と、
各前記光源から発せられた光を同一光路上に導く第一光学系と、
前記第一光学系から発せられた光を前記表示素子まで案内する第二光学系と、
前記第二光学系から発せられた光が前記表示素子によって変調されて形成された画像を投影する投影光学系と、
前記第二光学系がなす光路上に配置され、当該光路を通過する光の照度を検出する照度検出部と、
前記投影光学系を保護するための着脱自在なレンズカバーと、
前記照度検出部の検出結果が第一所定値よりも大きくなったら、前記レンズカバーが装着されていると判断し、前記検出結果が前記第一所定値以下である場合よりも各前記光源の出力を低減させる制御部と、
を備えることを特徴とする投影装置。
【請求項２】
請求項１記載の投影装置において、
各前記光源は、励起光を発する励起光光源と、赤色光を発する赤色光源と、青色光を発する青色光源と、を含み、
さらに、蛍光発光領域を有し、前記励起光光源から前記蛍光発光領域に向けて励起光が照射されることにより、緑色光に変換する蛍光体ホイールを備えることを特徴とする投影装置。
【請求項３】
請求項１又は２記載の投影装置において、
前記制御部は、前記照度検出部の検出結果が、前記第一所定値未満である第二所定値よりも大きい状態から前記第二所定値以下に切り替わった場合には、前記レンズカバーが取り外されたと判断して、各前記光源の出力を高めることを特徴とする投影装置。
【請求項４】
請求項１〜３のいずれか一項記載の投影装置において、
前記レンズカバーの内面には、前記投影光学系から発せられた光を反射するための反射層が設けられていることを特徴とする投影装置。
【発明の詳細な説明】
【技術分野】
【０００１】
本発明は、投影装置に関する。
【背景技術】
【０００２】
投影装置としては、青色の励起光を発する励起光照射装置と、蛍光体層（蛍光発光領域）を有し、励起光照射装置から蛍光体層に向けて青色光が照射されることにより、緑色光に変換する蛍光板と、赤色光を発する赤色光源装置と、青色光を発する青色光源と、緑色光、赤色光、青色光を反射させることによりスクリーンに画像を投影する例えばＤＭＤなどの表示素子とを含んだ光源ユニットを有する投影装置が知られている。このような投影装置では、レンズ保護用のレンズカバーが備えられているが、レンズカバー装着時に光源が点灯したままであると無用に電力を消費してしまうだけでなく、レンズカバーが光の熱によって変形してしまうおそれもある。
このため、近年においては、レンズカバーが装着されているか否かを検出する検出器が投影装置に追加されたものが開発されている。検出器の検出結果に基づいて光源の点灯を制御することで、レンズカバーが高温に晒されることを防止し、電力制御も可能としている（例えば特許文献１参照）。
【先行技術文献】
【特許文献】
【０００３】
【特許文献１】特開２０００−１１２０２９号公報
【発明の概要】
【発明が解決しようとする課題】
【０００４】
しかしながら、上記した投影装置であると、レンズカバー検出用の検出器が必要であるため、製造コストが増加してしまう。
そこで本発明の課題は、レンズカバー検出用の検出器を設けなくとも、レンズカバーの着脱に応じた電力制御を可能とすることで、製造コストの抑制を図ることである。
【課題を解決するための手段】
【０００５】
以上の課題を解決するため、本発明の一の態様によれば、
画像信号が入力される入力手段と、
前記入力手段に入力された画像信号に基づいて画像を生成する表示素子と、
発光波長が異なる複数の光源と、
各前記光源から発せられた光を同一光路上に導く第一光学系と、
前記第一光学系から発せられた光を前記表示素子まで案内する第二光学系と、
前記第二光学系から発せられた光が前記表示素子によって変調されて形成された画像を投影する投影光学系と、
前記第二光学系がなす光路上に配置され、当該光路を通過する光の照度を検出する照度検出部と、
前記投影光学系を保護するための着脱自在なレンズカバーと、
前記照度検出部の検出結果が第一所定値よりも大きくなったら、前記レンズカバーが装着されていると判断し、前記検出結果が前記第一所定値以下である場合よりも各前記光源の出力を低減させる制御部と、
を備えることを特徴とする投影装置が提供される。
【発明の効果】
【０００６】
本発明によれば、レンズカバー検出用の検出器を設けなくとも、レンズカバーの着脱に応じた電力制御を可能とすることで、製造コストを抑制することができる。
【図面の簡単な説明】
【０００７】
【図１】本実施形態に係る投影装置の概略ブロック図である。
【図２】図１の投影装置で実行される異常判断処理におけるフローチャートである。
【図３】図１の投影装置で実行されるキャップ着脱処理におけるフローチャートである。
【図４】本実施形態に係るレンズカバーが取り外された状態での各光の進路を示す模式図である。
【図５】本実施形態に係るレンズカバーが装着された状態での各光の進路を示す模式図である。
【発明を実施するための形態】
【０００８】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【０００９】
図１は、投影装置１００の概略ブロック図である。
【００１０】
図１に示すように、投影装置１００は、ＣＰＵ１０、メインメモリー１１、プログラムメモリー１２、操作部１３、表示駆動部１４、画像処理部１５、ビデオメモリー１６、音声処理部１７、スピーカー１８、入出力インターフェース１９、入出力コネクター２０、システムバス２１、表示素子３０、時分割光発生装置４０、光源側光学系５０、投影光学系６０及び照度検出部７０等を備える。
【００１１】
音声処理部１７は、ＰＣＭ音源等の音源回路を有する。音声処理部１７は、入出力コネクター２０等の音声入力端子により入力された音声信号に基づいてスピーカー１８を駆動する。また、音声処理部１７は、コンピューターとしてのＣＰＵ１０からシステムバス２１を介して転送された信号に基づきビープ音等をスピーカー１８に発生させる。
【００１２】
操作部１３は、投影装置１００の本体に設けられるキー操作部と、投影装置１００の本体から離れたリモートコントローラーとの間で赤外光を受光するレーザ受光部と、を含む。操作部１３は、ユーザーが投影装置１００の本体のキー操作部又はリモートコントローラーで操作したキーに基づくキー操作信号をＣＰＵ１０へ出力する。キー操作部及びリモートコントローラーには、電源オン・オフのキーが設けられている。
【００１３】
入出力コネクター２０は、ピンジャック（ＲＣＡ）タイプのビデオ入力端子、Ｄ−ｓｕｂ１５タイプのＲＧＢ入力端子、ＨＤＭＩ（登録商標）（Ｈｉｇｈ−ＤｅｆｉｎｉｔｉｏｎＭｕｌｔｉｍｅｄｉａ Ｉｎｔｅｒｆａｃｅ）規格の画像／音声入力端子及びＵＳＢ（Ｕｎｉｖｅｒ
ｓａｌＳｅｒｉａｌ Ｂｕｓ）コネクター及び音声入出力端子を有する。
【００１４】
入出力コネクター２０に入力される各種規格の画像信号は、入出力インターフェース１９及びシステムバス２１を介して画像処理部１５へ転送される。つまり、入出力コネクター２０が本発明に係る入力手段である。
【００１５】
画像処理部１５は、入出力コネクター２０に入力された画像信号を所定のフォーマットの画像信号に変換し、ビデオメモリー１６に適宜記憶した後に、表示駆動部１４へ転送する。
【００１６】
表示駆動部１４はタイミングジェネレーターを有する。表示駆動部１４のタイミングジェネレーターは、転送された画像信号に応じて、赤色光の発光タイミングを制御する１ビットの赤色光発光タイミング信号と、緑色光の発光タイミングを制御する１ビットの緑色光発光タイミング信号と、青色光の発光タイミングを制御する１ビットの青色光発光タイミング信号を光源制御部４５及びＣＰＵ１０に出力する。
【００１７】
時分割光発生装置４０は、表示駆動部１４から入力した信号に従って、赤色光、緑色光及び青色光を時分割で順次繰り返し出射する。つまり、赤色光発光タイミング信号がＯＮである時に時分割光発生装置４０が赤色光を出射し、緑色光発光タイミング信号がＯＮである時に時分割光発生装置４０が緑色光を出射し、青色光発光タイミング信号がＯＮである時に時分割光発生装置４０が青色光を出射する。
【００１８】
光源側光学系５０は、時分割光発生装置４０から出射された赤色光、緑色光及び青色光を表示素子３０に投射する。
【００１９】
表示素子３０は、空間光変調器であり、光源側光学系５０によって照射された赤色光、緑色光及び青色光を各画素毎（各空間光変調素子毎）で変調することによって画像を形成する。具体的には、表示素子３０は、二次元アレイ状に配列された複数の可動マイクロミラー等を有するデジタル・マイクロミラー・デバイス（ＤＭＤ）であり、可動マイクロミラーが画素としての空間光変調素子に相当する。
【００２０】
なお、表示素子３０が反射型の空間光変調器ではなく、透過型の空間光変調器（例えば、液晶シャッターアレイパネル：いわゆる液晶表示器）であってもよい。
【００２１】
表示素子３０は表示駆動部１４によって駆動される。表示駆動部１４は、転送された画像信号に応じて、所定のフォーマットに従ったフレームレートと色成分の分割数、及び表示階調数を乗算した、より高速な時分割駆動により、表示素子３０を駆動する。具体的には、赤色光が表示素子３０に照射されている時に、表示駆動部１４が画像データに従って表示素子３０の各可動マイクロミラー毎に制御（例えば、ＰＷＭ制御）することで、赤色光が後述の投影光学系６０に向けて反射される時間比（デューティー比）が各可動マイクロミラー毎に制御される。これにより、表示素子３０によって赤色の画像が形成される。緑色光や青色光が表示素子３０に照射されている際も、同様である。
【００２２】
次に、時分割光発生装置４０、光源側光学系５０及び投影光学系６０について具体的に説明する。
【００２３】
時分割光発生装置４０は、第一光源４１、第二光源４２、第三光源４３、光学系４４、光源制御部４５及びモータードライバー４６を有する。第一光源４１、第二光源４２、第三光源４３は、発光波長が異なる光を発生させる。
【００２４】
第二光源４２は、緑色光を発生させるものである。具体的には、第二光源４２は、励起光を発するとともに、その励起光を緑色光に変換するものである。第二光源４２は、複数の励起光光源４２ａ、蛍光体ホイール４２ｂ及びスピンドルモーター４２ｃを有する。
【００２５】
複数の励起光光源４２ａは、二次元アレイ状に配列されている。これら励起光光源４２ａは、励起光を発するレーザーダイオードである。励起光光源４２ａから発する励起光の波長帯域は、青色帯域又は紫外線帯域であるが、特に限定するものではない。
複数の励起光光源４２ａから発せられた励起光は、図示しないコリメートレンズによってコリメートされた後に、図示しないレンズ群によって光束群が一つにまとめられ、集光される。
【００２６】
蛍光体ホイール４２ｂは、複数の励起光光源４２ａが二次元アレイ状に配列された面に対向配置されている。レンズ群によって集光された励起光は蛍光体ホイール４２ｂに照射される。蛍光体ホイール４２ｂは、励起光によって励起されて緑色光を発する緑色蛍光体（蛍光発光領域）等からなり、励起光を緑色光に変換するものである。蛍光体ホイール４２ｂがスピンドルモーター４２ｃに連結され、蛍光体ホイール４２ｂがスピンドルモーター４２ｃによって回転される。
【００２７】
第一光源４１は、本発明に係る赤色光源であり、赤色光を発生させる赤色発光ダイオードである。第三光源４３は、本発明に係る青色光源であり、青色光を発生させる青色発光ダイオードである。
【００２８】
光学系４４は、本発明に係る第一光学系であり、第一光源４１から発せられた赤色光の光軸、第二光源４２から発せられた緑色光の光軸及び第三光源４３から発せられた青色光の光軸を一つに重ねて、これらの赤色光、緑色光及び青色光を出射する。光学系４４は、第一ダイクロイックミラー４４ａ及び第二ダイクロイックミラー４４ｂを有する。
【００２９】
第一ダイクロイックミラー４４ａは、第三光源４３に対向するように配置されている。第一ダイクロイックミラー４４ａは、励起光光源４２ａから発する波長帯域の励起光（例えば、青色の励起光）を蛍光体ホイール４２ｂに向けて透過させるととともに、第三光源４３から発する青色波長帯域の光を第二ダイクロイックミラー４４ｂに向けて透過させる。また、第一ダイクロイックミラー４４ａは、蛍光体ホイール４２ｂから発する緑色波長帯域の光を第二ダイクロイックミラー４４ｂに向けて反射させる。
【００３０】
第二ダイクロイックミラー４４ｂは、第一光源４１に対向するとともに、第一ダイクロイックミラー４４ａに対向するように配置されている。第二ダイクロイックミラー４４ｂは、第一ダイクロイックミラー４４ａからの青色及び緑色の波長帯域の光を光源側光学系５０に向けて透過させるとともに、第一光源４１から発する赤色の波長帯域の光を光源側光学系５０に向けて反射させる。
【００３１】
光源側光学系５０は、本発明に係る第二光学系であり、光学系４４から発せられた赤色光、青色光及び緑色光を表示素子３０まで案内する。光源側光学系５０は、全反射ミラー５１、導光装置５２、光軸変換ミラー５３及び照射ミラー５４を有する。
【００３２】
全反射ミラー５１は、第一ダイクロイックミラー４４ａを通過した光を導光装置５２に向けて反射するように、第一ダイクロイックミラー４４ａ及び導光装置５２に対向して配置されている。つまり、時分割光発生装置４０によって発生された赤色光、緑色光及び青色光は、全反射ミラー５１によって導光装置５２に向けて反射される。
【００３３】
導光装置５２は、ライトトンネル又はライトロッドである。導光装置５２は、時分割光発生装置４０から出射された赤色光、緑色光及び青色光を側面で複数回反射又は全反射させることで、赤色光、緑色光及び青色光を均一な強度分布の光束にする。
光軸変換ミラー５３は、導光装置５２から出射した赤色光、緑色光及び青色光を照射ミラー５４に反射させる。照射ミラー５４は、光軸変換ミラー５３によって反射された光を表示素子３０に向けて反射させる。
【００３４】
投影光学系６０は表示素子３０に正対するように設けられ、投影光学系６０の光軸が前後に延びて表示素子３０に交差（具体的には、直交）する。投影光学系６０は、表示素子３０によって反射された光を前方に投射することによって、表示素子３０によって形成された画像をスクリーンに投影する。
【００３５】
投影光学系６０の先端部には、当該投影光学系６０を保護するためのレンズキャップ等のレンズカバー８０が着脱自在に取り付けられている。このレンズカバー８０の内面、つまり投影光学系６０に対向する面には、投影光学系６０から発せられた光を反射するための反射層８１が設けられている（図５参照）。この反射層８１としては、光を反射するものであれば、例えば金属層であってもよいし、白色や銀色などの着色層であってもよい。
【００３６】
そして、時分割光発生装置４０のモータードライバー４６は、ＣＰＵ１０の指令に従ってスピンドルモーター４２ｃを駆動する。
【００３７】
時分割光発生装置４０の光源制御部４５は、第一光源４１、第二光源４２（励起光光源４２ａ）及び第三光源４３を点滅させて、表示駆動部１４によって出力された信号に基づいて第一光源４１、第二光源４２（励起光光源４２ａ）及び第三光源４３の点滅周期及び点灯・消灯タイミングを制御する。これにより、第一光源４１、第二光源４２（励起光光源４２ａ）及び第三光源４３が順次繰り返し発光する。
【００３８】
次に、照度検出部７０、ＣＰＵ１０、メインメモリー１１及びプログラムメモリー１２について説明する。
【００３９】
照度センサ等の照度検出部７０は、光源側光学系５０に設けられている。具体的には、照度検出部７０は、光軸変換ミラー５３の反射面の反対側の面に設けられている。照度検出部７０は、時分割光発生装置４０から出射された赤色光、緑色光及び青色光の照度を電気信号に変換し、照度を表す照度信号を検出結果としてＣＰＵ１０に出力する。Ｒ、Ｇ、Ｂの光の強度を検出する照度検出部７０の種類としては、フォトトランジスタを使う品種、フォトダイオードを使う品種、フォトダイオードにアンプ回路を追加した品種のいずれを用いてもよい。時分割光発生装置４０から出射された赤色光、緑色光及び青色光の照度が照度検出部７０によって検出されるのであれば、照度検出部７０の設置個所は全反射ミラー５１に限るものではない。つまり、照度検出部７０は、光源側光学系５０がなす光路Ｌ上に配置されていればよい。但し、時分割光発生装置４０から出射された赤色光、緑色光及び青色光が直接光として照度検出部７０に入射するのではなく、それら赤色光、緑色光及び青色光の漏れ光又は間接光が照度検出部７０に入射するような設置位置が好ましい。
【００４０】
ＣＰＵ１０は、メインメモリー１１、プログラムメモリー１２、ビデオメモリー１６、音声処理部１７、入出力インターフェース１９、光源制御部４５及びモータードライバー４６の動作全てを制御する。つまり、ＣＰＵ１０は、光源制御部４５を介して、第一光源４１、第二光源４２（励起光光源４２ａ）及び第三光源４３を制御する本発明に係る制御部である。ＣＰＵ１０には照度検出部７０が電気的に接続されていて、ＣＰＵ１０は照度検出部７０の検出結果に基づいて、第一光源４１、第二光源４２（励起光光源４２ａ）及び第三光源４３を制御するようになっている。
【００４１】
メインメモリー１１はＣＰＵ１０のワーキングメモリーとして使用され、ＣＰＵ１０がメインメモリー１１にアクセスして、ＣＰＵ１０の演算処理に利用される各種データがメインメモリー１１に読み書きされる。
【００４２】
プログラムメモリー１２には、ＣＰＵ１０が読み取り可能なプログラム及びデータが格納されている。プログラムメモリー１２に格納されたプログラムがＣＰＵ１０に各種の機能を持たせ、ＣＰＵ１０がプログラムに従って各種処理を行う。
【００４３】
ＣＰＵ１０は、照度検出部７０からの検出結果に基づき複数の処理を実行する。複数の処理としては、例えば、投影装置１００内の異常を判断する異常判断処理、レンズカバー８０の着脱状態を判断するキャップ着脱処理などが挙げられる。
【００４４】
まず、異常判断処理について説明する。
図２は異常判断処理におけるフローチャートである。異常判断処理は、投影装置１００に待機電力が供給されているが、投影装置１００の電源が切れていて、時分割光発生装置４０等が動作していない時に開始される。
【００４５】
ステップＳ１では、ＣＰＵ１０が時分割光発生装置４０の光源制御部４５の電路をオン（開状態）にする前に、ＣＰＵ１０が照度検出部７０の検出結果がゼロであるか否かを判定する。そして、ＣＰＵ１０は、照度検出部７０の検出結果がゼロでないと判定したらステップＳ２に移行し、照度検出部７０の検出結果がゼロであるとＣＰＵ１０が判定したらステップＳ３に移行する。
【００４６】
ステップＳ２では、ＣＰＵ１０は、光源制御部４５の電路をオフ（閉状態）にする。従って、ステップＳ２の時点で、時分割光発生装置４０の第一光源４１、第二光源４２（励起光光源４２ａ）及び第三光源４３の何れかが点灯していれば、これらが消灯される。
【００４７】
ステップＳ３では、ＣＰＵ１０は、予め設定された時間中、待機して操作部１３のキー操作部やリモートコントローラーの電源オンのキーが操作されたか否かを判定し、予め設定された時間の間に、ユーザーがキー操作部又はリモートコントローラーの電源オンのキーを操作しなければステップＳ１に戻り、予め設定された時間の間に、ユーザーがキー操作部又はリモートコントローラーの電源オンのキーを操作すればステップＳ４に移行する。
【００４８】
ステップＳ４では、ＣＰＵ１０は光源制御部４５の電路をオンにする。更に、ＣＰＵ１０は、表示駆動部１４、画像処理部１５、ビデオメモリー１６、音声処理部１７及び入出力インターフェース１９の動作も開始させる。これにより、表示駆動部１４は、画像処理部１５から転送された画像信号に従って表示素子３０を駆動する。更に、表示駆動部１４が発光タイミング信号を光源制御部４５に出力し、第一光源４１、第二光源４２（励起光光源４２ａ）及び第三光源４３が光源制御部４５によって順次繰り返し発光する。また、スピンドルモーター４２ｆがモータードライバー４６によって駆動されて回転する。
【００４９】
時分割光発生装置４０によって赤色光、緑色光及び青色光が時分割で順次発生されている時、照度検出部７０の検出結果がＣＰＵ１０に入力されている。この際、プログラムによってＣＰＵ１０がコンパレータとして機能する（ステップＳ５）。具体的には、ＣＰＵ１０は、照度検出部７０によって検出された照度を第一閾値と比較する（ステップＳ５）。第一閾値は、時分割光発生装置４０によって発生された赤色光、緑色光及び青色光のうち最も照度の低い光の照度よりも低く設定されているとともに、ゼロを超えるように設定されている。そして、ＣＰＵ１０は、赤色光、緑色光及び青色光が時分割で順次発生されている時に、照度検出部７０によって検出された照度が第一閾値を超えていると判定したらステップＳ６に移行し、赤色光、緑色光及び青色光が時分割で順次発生されている時に、照度検出部７０によって検出された照度が第一閾値を下回ると判定したらステップＳ７に移行する。
【００５０】
ステップＳ６では、ＣＰＵ１０は、光源制御部４５の電路のオン状態を維持する。従って、時分割光発生装置４０が作動され、時分割光発生装置４０による赤色光、緑色光及び青色光の順次出射が継続される。そして、ＣＰＵ１０の処理はステップＳ５に戻る。
【００５１】
ステップＳ７では、ＣＰＵ１０は、赤色光、緑色光及び青色光が時分割で順次発生されている時に、照度検出部７０によって検出された照度が第一閾値を下回ると判定したら、時分割光発生装置４０を停止させる。つまり、ＣＰＵ１０が光源制御部４５の電路をオフにし、第一光源４１、第二光源４２（励起光光源４２ａ）及び第三光源４３が消灯する。この後、ＣＰＵ１０は、光源制御部４５の電路のオフ状態を維持し、操作部１３等から各種の信号を入力しても光源制御部４５の電路をオフにしたままにする。
【００５２】
ここで、ユーザーが投影装置１００を分解したり、投影装置１００が衝撃を受けたりすると、時分割光発生装置４０の部品や光源側光学系５０の部品の位置等がずれ、照度検出部７０に入射する光の照度が低下する。そのような場合では、照度検出部７０の検出結果が低くなって第一閾値を下回るため、異常判断処理によって時分割光発生装置４０が停止し、光がスクリーンに投影されなくなる。そのことによって、ユーザーが投影装置１００の分解をしないようになるとともに、修理等の必要性をユーザーに知らしめることができる。
さらに、投影装置１００の電源が投入されていないにもかかわらず、何かしらの理由で、時分割光発生装置４０に電力が供給されて、時分割光発生装置４０から光が発した場合でも、異常判断処理によって時分割光発生装置４０がすぐに停止される。これにより、修理等の必要性をユーザーに知らしめることができる。
【００５３】
次に、キャップ着脱処理について説明する。
図３はキャップ着脱処理におけるフローチャートである。キャップ着脱処理は、光源制御部４５の電路がオン状態である場合に継続的に実行するものである。
【００５４】
ステップＳ１１では、ＣＰＵ１０は、照度検出部７０の検出結果が第一所定値よりも大きいか否かを判定し、第一所定値以下であると判定した場合にはステップＳ１２に移行し、第一所定値よりも大きいと判定した場合にはステップＳ１３に移行する。
ここで、第一所定値とは、第一光源４１、第二光源４２（励起光光源４２ａ）及び第三光源４３が通常の出力で点灯していたとしても想定以上の光が照度検出部７０に当たっている状態を判断するための値である。
【００５５】
図４はレンズカバー８０が取り外された状態（開放状態）での各光の進路を示す模式図である。図５はレンズカバー８０が装着された状態（閉塞状態）での各光の進路を示す模式図である。図４及び図５中、Ｙ１は励起光光源４２ａから発せられた励起光であり、Ｙ２は蛍光体ホイール４２ｂにより変換された緑色光である。Ｙ３は第一光源４１から発せられた赤色光であり、Ｙ４は第三光源４３から発せられた青色光である。また、Ｙ５は時分割光発生装置４０から発せられた赤色光、青色光及び緑色光が光源側光学系５０及び投影光学系６０を通過する際の光路である。
図５中、Ｙ６はレンズカバー８０の反射層８１により反射された光の光路である。
【００５６】
図４に示す通り、開放状態であると、照度検出部７０には、時分割光発生装置４０から発せられた赤色光、青色光及び緑色光のみが当たる。他方、図５に示す通り、閉塞状態であると、照度検出部７０には、時分割光発生装置４０から発せられた赤色光、青色光及び緑色光に加えて、レンズカバー８０の反射層８１により反射した光も当たる。
つまり、開放状態と比して、閉塞状態ではより多くの光が照度検出部７０に当たっているため、閉塞状態での照度検出部７０の検出結果は開放状態よりも大きな値となる。このような関係から、開放状態における通常の出力で各光源が点灯している場合の照度よりも大きい値を第一所定値とする。具体的には、通常の出力で時分割光発生装置４０から発せられた赤色光、青色光及び緑色光の照度の想定値を１００％とすると、第一所定値はその想定値の例えば１１０％とする。照度検出部７０が表示素子３０の上流側に配置されているために、検出する照度はほとんど変わらず、変わったとしても電流制御によって想定値の１〜２％振れる程度である。これと比して、反射層８１により反射した光による照度の変動は各段に大きいために、第一所定値を想定値の１１０％としておけば、電流制御による振れには影響されず、反射した光が当たっているか否かを確実に判断することができる。
【００５７】
ステップＳ１２では、ＣＰＵ１０は、照度検出部７０の検出結果が第一所定値以下であることから現在は開放状態であると判断し、ステップＳ１１に移行する。
ステップＳ１３では、ＣＰＵ１０は、照度検出部７０の検出結果が第一所定値よりも大きいことから現在は閉塞状態であると判断し、ステップＳ１４に移行する。
【００５８】
ステップＳ１４では、ＣＰＵ１０は、光源制御部４５を介して、第一光源４１、第二光源４２（励起光光源４２ａ）及び第三光源４３を制御し、これら各光源の出力を通常時よりも所定値だけ低くする。例えば、通常の出力を１００％とした場合、６０％減少させて４０％の出力とする。これにより、電力の無駄な消費を抑制するとともに、レンズカバー８０が光の熱によって変形してしまうことを防止する。
【００５９】
ステップＳ１５では、ＣＰＵ１０は、照度検出部７０の検出結果が第二所定値以下であるか否かを判定する。具体的には、反射層８１により反射した光による照度の変動を考慮し、第二所定値をステップＳ１４にて各光源の出力を通常時より低い４０％とした際の１１０％に相当する４４％とする。よって、電流制御による振れには影響されず、反射した光が当たっているか否かを確実に判断できる。次に、第二所定値（例えば４４％）よりも大きいと判定した場合にはステップＳ１６に移行し、第二所定値以下であると判定した場合にはステップＳ１７に移行する。
ここで、第二所定値とは、第一光源４１、第二光源４２（励起光光源４２ａ）及び第三光源４３が通常時よりも所定値だけ低い出力で点灯していたとしても、その場合の想定値以上の光が照度検出部７０に当たっている状態を判断するための値である。
各光源が通常時よりも所定値だけ低い出力で点灯している場合でも、開放状態と比して、閉塞状態ではより多くの光が照度検出部７０に当たっているため、閉塞状態での照度検出部７０の検出結果は開放状態よりも大きな値となる。ただ、前述した通り、各光源の出力は通常時よりも所定値だけ低くなっているために、第一所定値でレンズカバー８０の有無を判断しようとしたとしても、閉塞状態なのにも関わらず第一所定値を越えない場合も考えられる。このため、第二所定値は少なくとも第一所定値未満の値に設定する必要がある。
なお、第一所定値、第二所定値ともに、各種の実験やシミュレーションを行うことにより、適切な値が設定されることが望ましい。
【００６０】
ステップＳ１６では、ＣＰＵ１０は、照度検出部７０の検出結果が第二所定値よりも大きいことから現在は閉塞状態であると判断し、ステップＳ１５に移行する。
ステップＳ１７では、ＣＰＵ１０は、照度検出部７０の検出結果が第二所定値以下であることから、現在は開放状態であると判断し、ステップＳ１８に移行する。
ステップＳ１８では、ＣＰＵ１０は、光源制御部４５を介して、第一光源４１、第二光源４２（励起光光源４２ａ）及び第三光源４３を制御し、これら各光源の出力を通常時に戻して、ステップＳ１１に移行する。
【００６１】
以上のように本実施形態によれば、照度検出部７０の検出結果が第一所定値よりも大きくなったら、ＣＰＵ１０はレンズカバー８０が装着されていると判断して、励起光光源４２ａ、第一光源４１及び第三光源４３の出力を通常時よりも低減させているので、レンズカバー８０が高温に晒されることを防止し、無駄な電力消費も抑制することができる。
そして、照度検出部７０は、投影装置１００に元々備えられていた別の用途（例えば、異常判断処理）用のものであるので、レンズカバー８０の着脱判断専用の検出器を設ける必要もなく、製造コストを抑制することができる。
【００６２】
また、照度検出部７０の検出結果が、第二所定値よりも大きい状態から第二所定値以下に切り替わった場合には、ＣＰＵ１０はレンズカバー８０が取り外されたと判断して、励起光光源４２ａ、第一光源４１及び第三光源４３の出力を高めているので、レンズカバー８０が取り外されたら通常の出力で各光源を発光させることができる。
【００６３】
ここで、内面に反射層がないレンズカバーであったとしても、投影光学系６０から発せられた光をいくらか反射するので、通常の出力で時分割光発生装置４０から発せられた赤色光、青色光及び緑色光の照度の想定値を上回る値を照度検出部７０は検出することになる。
しかしながら、本実施形態のように、レンズカバー８０の内面に反射層８１が設けられていれば、反射光の照度を高めることができ、照度検出部７０に当たる光の照度を開放状態と通常状態とで大きく異ならせることができる。これにより、レンズカバー８０の有無の判断をより確実なものにすることが可能である。
【００６４】
そして、本発明は、以上の実施形態に限定されるものでなく、発明の要旨を逸脱しない範囲で自由に変更、改良が可能である。
上記実施形態では、閉塞状態である場合には第一光源４１、第二光源４２（励起光光源４２ａ）及び第三光源４３の出力を通常時よりも所定値だけ低くする場合を例示して説明したが、各光源を消灯してもよい。
【００６５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００６６】
〔付記〕
＜請求項１＞
画像信号が入力される入力手段と、
前記入力手段に入力された画像信号に基づいて画像を生成する表示素子と、
発光波長が異なる複数の光源と、
各前記光源から発せられた光を同一光路上に導く第一光学系と、
前記第一光学系から発せられた光を前記表示素子まで案内する第二光学系と、
前記第二光学系から発せられた光が前記表示素子によって変調されて形成された画像を投影する投影光学系と、
前記第二光学系がなす光路上に配置され、当該光路を通過する光の照度を検出する照度検出部と、
前記投影光学系を保護するための着脱自在なレンズカバーと、
前記照度検出部の検出結果が第一所定値よりも大きくなったら、前記レンズカバーが装着されていると判断し、前記検出結果が前記第一所定値以下である場合よりも各前記光源の出力を低減させる制御部と、
を備えることを特徴とする投影装置。
＜請求項２＞
請求項１記載の投影装置において、
各前記光源は、励起光を発する励起光光源と、赤色光を発する赤色光源と、青色光を発する青色光源と、を含み、
さらに、蛍光発光領域を有し、前記励起光光源から前記蛍光発光領域に向けて励起光が照射されることにより、緑色光に変換する蛍光体ホイールを備えることを特徴とする投影装置。
＜請求項３＞
請求項１又は２記載の投影装置において、
前記制御部は、前記照度検出部の検出結果が、前記第一所定値未満である第二所定値よりも大きい状態から前記第二所定値以下に切り替わった場合には、前記レンズカバーが取り外されたと判断して、各前記光源の出力を高めることを特徴とする投影装置。
＜請求項４＞
請求項１〜３のいずれか一項記載の投影装置において、
前記レンズカバーの内面には、前記投影光学系から発せられた光を反射するための反射層が設けられていることを特徴とする投影装置。
【符号の説明】
【００６７】
１０      ＣＰＵ（制御部）
２０      入出力コネクター（入力手段）
３０      表示素子
４０      時分割光発生装置
４１      第一光源（赤色光源）
４２      第二光源
４２ａ    励起光光源
４２ｂ    蛍光体ホイール
４３      第三光源（青色光源）
４４      光学系（第一光学系）
５０      光源側光学系（第二光学系）
６０      投影光学系
７０      照度検出部
８０      レンズカバー
８１      反射層
１００      投影装置
【図１】
2015049408.tif 000003
【図２】
2015049408.tif 000004
【図３】
2015049408.tif 000005
【図４】
2015049408.tif 000006
【図５】
2015049408.tif 000007